(57)【要約】      （修正有）【課題】幼児用傘を常に安定して保持しておくことができ、幼児の負担を軽減し、また、幼児が危険にさらされるのを防ぐことができる幼児用傘保持具を提供する。【解決手段】棒状体４の一端にハンドル部２を有し、他端に幼児用傘１０の石突に取り付けるための取り付け部３を有することとした。同伴者が本考案にかかる幼児用傘保持具１を用いて、その取り付け部３を幼児用傘１０の石突に取り付け、ハンドル部２を同伴者が保持することにより、幼児がさす幼児用傘１０を常に安定して保持しておくことができる。【選択図】図５
0003130782.tif 000002
【実用新案登録請求の範囲】
【請求項１】
棒状体の一端にハンドル部を有し、他端に幼児用傘の石突に取り付けるための取り付け部を有することを特徴とする幼児用傘保持具。
【請求項２】
前記ハンドル部は、前記棒状体に回動可能又は回転自在に取り付けられることを特徴とする請求項１記載の幼児用傘保持具。
【請求項３】
前記ハンドル部は、前記幼児用傘を持つ幼児に同伴する同伴者の持つ傘に取り付けられることを特徴とする請求項１及び請求項２に記載の幼児用傘保持具。
【考案の詳細な説明】
【技術分野】
【０００１】
本考案は、傘をさして歩行する幼児を同伴者が容易に補助することができる幼児用傘保持具に関する。
【背景技術】
【０００２】
従来は、雨の日に幼児を歩行させる場合には、幼児が自ら傘をさして雨を避けなければならず、傘をさし慣れない幼児にとっては大きな負担となっていた。特に、強い風が吹いた場合には、傘が飛ばされてしまったり、傘が引っ張られて不安定となり、幼児が転倒してしまったりする危険性があった。
【０００３】
そこで、幼児用傘の石突部分を掴み易い形状に形成する方法が公開されている（例えば特許文献１参照）。この方法によれば、幼児の持つ傘が風等によって不安定になった場合であっても、同伴者がその石突部分を掴んで幼児用傘を安定させることができる。
【０００４】
【特許文献１】特開２００５−３３４５７３号公報
【考案の開示】
【考案が解決しようとする課題】
【０００５】
しかしながら、特許文献１に開示された方法は、同伴者が危険を察知した際に石突を掴めるようになっているものであるが、この方法では、突風や幼児の急な動きに対処することはできず、そのような場合に危険を避けることは困難であった。危険を避けるためには、幼児用傘を常に安定して保持しておくことが重要であるが、特許文献１に開示された方法によれば、幼児用傘の石突を直接掴むためには同伴者は幼児用傘の半径分、手を伸ばさなければならず、不自然な体勢にならざるを得ないため、幼児用傘を常に保持しておくことは困難であった。
【０００６】
本考案は、このような点に鑑みてなされたものであり、その目的は、幼児用傘を常に安定して保持しておくことによって、幼児の負担を軽減し、また、幼児が危険にさらされるのを防ぐことができる幼児用傘保持具を提供することにある。
【課題を解決するための手段】
【０００７】
以上のような課題を解決するために、本考案は、以下のものを提供する。
【０００８】
（１）  棒状体の一端にハンドル部を有し、他端に幼児用傘の石突に取り付けるための取り付け部を有することを特徴とする幼児用傘保持具。
【０００９】
本考案によれば、棒状体の一端にハンドル部を有し、他端に幼児用傘の石突に取り付けるための取り付け部を有することとしたから、同伴者が本考案にかかる幼児用傘保持具を用いて、その取り付け部を幼児用傘の石突に取り付け、ハンドル部を同伴者が保持することにより、幼児がさす傘を常に安定して保持しておくことができ、ひいては、幼児の負担を軽減し、また、幼児が危険にさらされるのを防ぐことができる。
【００１０】
（２）  前記ハンドル部は、前記棒状体に回動可能又は回転自在に取り付けられることを特徴とする幼児用傘保持具。
【００１１】
本発明によれば、ハンドル部は、棒状体に回動可能に取り付けられることとしたから、幼児用傘をさす幼児の身長及び同伴者の身長に合わせてハンドル部を回動させることにより、同伴者はより自然な体勢で幼児用傘を保持することができ、同伴者の負担を軽減することができる。
【００１２】
また、本発明によれば、取り付け部は、棒状体に回転自在に取り付けられることとしたから、同伴者はより自然な体勢でハンドル部を保持することができ、幼児の急な動きにも柔軟に対応することができる。
【００１３】
すなわち、幼児は突然立ち止まったり、飛び跳ねたり、走り出したりと、急な動きをすることが多く、幼児用傘保持具が固定されたままだと同伴者が忙しく手を動かして対応しなければならないが、取り付け部が棒状体に回転自在に取り付けられることにより、幼児用傘の動きに合わせて棒状体が回転するため、幼児の動きに柔軟に対応することができる。
【００１４】
（３）  前記ハンドル部は、前記幼児用傘を持つ幼児に同伴する同伴者の持つ傘に取り付けられることを特徴とする幼児用傘保持具。
【００１５】
本発明によれば、ハンドル部は、幼児用傘を持つ幼児に同伴する同伴者の持つ傘に取り付けられることとしたから、同伴者は片手で自分の傘を持つと同時に幼児用傘を保持することとなり、同伴者は両手を塞ぐことなく幼児用傘を保持することができ、同伴者の負担を軽減することができる。
【考案の効果】
【００１６】
以上説明したように、本考案は、棒状体の一端を幼児用傘に取り付け、他端を同伴者が保持することにより、幼児がさす傘を常に安定して保持しておくことができる。また、ハンドル部が回動可能であるために、同伴者がより自然な体勢で幼児用傘を保持することができる。また、取り付け部が回転自在であるために、幼児の急な動きにも柔軟に対応することができる。さらに、ハンドル部が同伴者の持つ傘に取り付けられることにより、同伴者は両手を塞ぐことなく幼児用傘を保持することができ、同伴者の負担を軽減することができる。
【考案を実施するための最良の形態】
【００１７】
以下、本考案を実施するための最良の形態について、図面に基づいて説明する。
【００１８】
［外観構成］
図１は、本考案の実施の形態に係る幼児用傘保持具１を示す図である。図１（ａ）は全体図であり、図１（ｂ）は図１（ａ）のＸ部分を拡大した断面図、図１（ｃ）は図１（ａ）のＹ部分を拡大した断面図である。
【００１９】
図１において、本考案の実施の形態に係る幼児用傘保持具１は、主にハンドル部２と、取り付け部３と、棒状体４とから構成されている。
【００２０】
ハンドル部２は、棒状体４の一端に回動部６を介して上下に回動可能に設けられており、その先端には手で握り易い形状のグリップ２ａが備えられている。回動部６によって、ハンドル部２と棒状体４とを上下に回動させてその角度を適宜調整し、固定ねじ６ａを締めることによって使用しやすい位置に固定することができる（図１（ｂ）参照）。なお、回動部６は、図１（ｂ）に示す形状に限られるものではなく、棒状体４を上下に回動させ、固定することができるものであればどのような形状であってもかまわない。
【００２１】
なお、ハンドル部２は、回動部６を備えず、棒状体４の一端に直接設けられることとしても良い。
【００２２】
図２は、本考案の他の実施の形態に係る幼児用保持具１を示す図である。
【００２３】
図２において、本発明の他の実施の形態に係る幼児用保持具１は、ハンドル部２と、取り付け部３と、棒状体４とから構成されており、ハンドル部２は、棒状体４の一端に取り付けられている。図１のような回動部を備えないため、簡易な構造とすることができる。
【００２４】
取り付け部３は、棒状体４の他端に回転部５を介して回転自在に設けられており、幼児用傘１０の石突１１に取り付けられる形状となっている。回転部５は、例えば球関節状になっており（図１（ｃ）参照）、棒状体４を上下左右に回転させることが可能である。
【００２５】
棒状体４は、一端にハンドル部２を備え、他端に取り付け部３を備えており、回動部６によってその角度が調整され、回転部５によって自在に回転する。なお、棒状体４は、その長さが伸縮することとしても良い。
【００２６】
図３は、棒状体４が伸縮する様子を示す図である。図３（ｂ）は棒状体４が収縮した状態を示し、図３（ｃ）は棒状体４が伸長した状態を示す。
【００２７】
図３において、棒状体４は内筒４ａと外筒４ｂとから構成されており、伸縮自在となっている。幼児が同伴者に近付いたときには棒状体４は収縮し（図３（ｂ）参照）、同伴者から離れたときには棒状体４は伸長する（図３（ｃ）参照）ことにより、幼児の動きに柔軟に対応することが可能となる。
【００２８】
図４は、幼児用傘１０の石突１１に取り付け部３を取り付けた状態を示す拡大断面図である。
【００２９】
図４において、取り付け部３は中空状になっており、幼児用傘１０の石突１１が挿入される形状になっている。取り付け部３の中空部に挿入された石突１１は、ねじ７によって取り付け部３の壁に備えられたねじ穴からねじ止めされることにより固定される。このとき、取り付け部３の中空部の内壁に弾性素材８を備えることとしてもよく、石突１１が弾性素材８に押し付けられるようにねじ止めされることにより、より安定して固定することができる。このような固定方法とすることにより、本考案に係る幼児用傘保持具１を、さまざまな形状の石突１１に取り付けることが可能となる。
【００３０】
なお、取り付け部３の形状は図４に示すものに限られるものではなく、幼児洋傘１０の石突１１に幼児用傘保持具１を着脱可能に取り付けることができるものであればどのような形状であってもかまわない。例えば、取り付け部３の内壁に雌ねじを、石突１１の外壁に雄ねじを設け、雌ねじと雄ねじによって石突１１に取り付け部３が螺着されることとしても良いし、磁石等を用いて取り付けられることとしても良い。
【００３１】
図５は、本考案の実施の形態に係る幼児用傘保持具１を幼児用傘１０に取り付けた状態を示す斜視図である。
【００３２】
幼児用傘保持具１は、幼児用傘１０の石突１１に、図５に示すように取り付けて使用される。棒状体４の長さは、幼児用傘１０の半径よりも少し長く、同伴者がハンドル２を身体に近い位置で保持できる長さであることが望ましい。同伴者の体格や幼児用傘の大きさに合わせて棒状体４の長さの調整が可能なものであっても良い。
【００３３】
図６は、本考案の実施の形態に係る幼児用傘保持具１を幼児用傘１０に取り付けた状態を示す正面図、図７は平面図である。
【００３４】
取り付け部３によって幼児用傘１０に取り付けられた幼児用傘保持具１は、その棒状体４が回転部５によって上下左右に回転する。図６（ｂ）及び図６（ｃ）は上下に、図７（ｂ）及び図７（ｃ）は左右に回転させたときの状態を示す。棒状体４が上下左右に自在に回転することにより、同伴者がハンドル部２を大きく移動させることなく、幼児用傘を保持しておくことができ、幼児の動きに柔軟に対応することができる。
【００３５】
図８は、本実施の形態に係る幼児用傘保持具１のハンドル部２を、同伴者の持つ傘１２に取り付けた状態を示す図である。
【００３６】
図８において、幼児用傘保持具１のハンドル部２は、同伴者の持つ傘１２の柄の部分に取り付けられている。同伴者が自分の傘１２をさした上で、幼児の持つ幼児用傘１０を保持する場合、片手で自分の傘１２を持ち、もう片方の手で幼児用傘保持具１を持つこととなり、両手が塞がってしまうが、同伴者の持つ傘１２に幼児用傘保持具１を取り付けることにより、同伴者が片手で自分の傘１２を持つと同時に幼児用傘１０を保持することができる。従って、同伴者は両手を塞ぐことなく幼児用傘を保持することができ、同伴者の負担を軽減することができる。
【００３７】
図９は、本実施の形態に係る幼児用傘保持具１の棒状体４を、自在に曲がることが可能な素材により形成した様子を示す図である。
【００３８】
図９において、幼児用傘保持具１の棒状体４には、その芯材として針金やポリプロピレン等の、自在に曲がることが可能であって、一定の強度を保つことができる素材が用いられており、ハンドル部２と取り付け部３との角度を自由に設定し、その状態で幼児用傘保持具１を保持することができる。本実施の形態に係る幼児用傘保持具１によれば、傘をさした状態でも容易にその角度を変更することができる。
【００３９】
［使用方法］
本考案の実施の形態に係る幼児用傘保持具１の使用方法について説明する。
【００４０】
図１０は、本考案の実施の形態に係る幼児用傘保持具１を使用した様子を示す図である。
【００４１】
本考案の実施の形態に係る幼児用傘保持具１を使用する際には、まず、幼児用傘保持具１の取り付け部３を、幼児用傘１０の石突１１に取り付ける。具体的には、取り付け部３の中空部に幼児用傘１０の石突１１を挿入し、ねじ７によってねじ止めする。
【００４２】
そして、同伴者が幼児用傘１０に取り付けられた幼児用傘保持具１のハンドル部２を持って幼児用傘１０を保持し、幼児用傘１０を幼児に持たせて使用する（図１０参照）。
【００４３】
使用が終わった際には、幼児用傘１０の石突１１に取り付けられた取り付け部３のねじ７を緩めることにより、幼児用傘１０から幼児用傘保持具１を取り外して収納することができる。
【００４４】
以上説明したように、本実施形態に係る幼児用傘保持具によれば、同伴者がより自然な体勢で幼児用傘を保持することができ、幼児の動きにも柔軟に対応することができるため、幼児がさす傘を常に安定して保持しておくことができる。さらに、ハンドル部が同伴者の持つ傘に取り付けられることにより、同伴者は両手を塞ぐことなく幼児用傘を保持することができ、同伴者の負担を軽減することができる。
【産業上の利用可能性】
【００４５】
本考案に係る幼児用傘保持具は、同伴者が自然な体勢で、幼児用傘を常に安定して保持しておくことができるものとして有用である。
【図面の簡単な説明】
【００４６】
【図１】本考案の実施の形態に係る幼児用傘保持具を示す図である。
【図２】本考案の他の実施の形態に係る幼児用保持具を示す図である。
【図３】棒状体が伸縮する様子を示す図である。
【図４】幼児用傘の石突に取り付け部を取り付けた状態を示す拡大断面図である。
【図５】本考案の実施の形態に係る幼児用傘保持具を幼児用傘に取り付けた状態を示す斜視図である。
【図６】本考案の実施の形態に係る幼児用傘保持具を幼児用傘に取り付けた状態を示す正面図である。
【図７】本考案の実施の形態に係る幼児用傘保持具を幼児用傘に取り付けた状態を示す平面図である。
【図８】本実施の形態に係る幼児用傘保持具のハンドル部を、同伴者の持つ傘に取り付けた状態を示す図である。
【図９】本実施の形態に係る幼児用傘保持具の棒状体を、自在に曲がることが可能な素材により形成した様子を示す図である。
【図１０】本考案の実施の形態に係る幼児用傘保持具を使用した様子を示す図である。
【符号の説明】
【００４７】
１  幼児用傘保持具
２  ハンドル部
３  取り付け部
４  棒状体
５  回転部
６  回動部
７  ねじ
８  弾性素材
１０  幼児用傘
１１  石突
１２  傘
【図１】
0003130782.tif 000003
【図２】
0003130782.tif 000004
【図３】
0003130782.tif 000005
【図４】
0003130782.tif 000006
【図５】
0003130782.tif 000007
【図６】
0003130782.tif 000008
【図７】
0003130782.tif 000009
【図８】
0003130782.tif 000010
【図９】
0003130782.tif 000011
【図１０】
0003130782.tif 000012
【手続補正書】
【提出日】平成19年1月29日(2007.1.29)
【手続補正１】
【補正対象書類名】実用新案登録請求の範囲
【補正対象項目名】請求項３
【補正方法】変更
【補正の内容】
【請求項３】
前記ハンドル部は、前記幼児用傘を持つ幼児に同伴する同伴者の持つ傘に取り付けられることを特徴とする請求項１又は請求項２に記載の幼児用傘保持具。